(57)【要約】【課題】基材に塗着した転写物を紙等の転写対象物に転写するための転写テープを転写ヘッドにより転写対象物に押し当てた状態で、転写具または転写対象物をスライドさせることで転写テープが順次繰出されて転写物を転写対象物へ転写する、転写対象物へ転写物を転写する際に転写ヘッドが転写テープを介して当接可能な転写対象物を載置するための転写対象物受け台を具設した転写具において、前記転写対象物受け台の転写対象物が載置する表面に、転写テープの転写物が基材から転写し難いようにする。【解決手段】転写対象物受け台の少なくとも転写対象物が載置する表面に、基材の濡れ張力より小さい値の濡れ張力となる離型処理を施す。【選択図】図７
2011031401.tif 000002
【特許請求の範囲】
【請求項１】
基材に塗着した転写物を紙等の転写対象物に転写するための転写テープを転写ヘッドにより転写対象物に押し当てた状態で、転写具または転写対象物をスライドさせることで転写テープが順次繰出されて転写物を転写対象物へ転写する、転写対象物へ転写物を転写する際に転写ヘッドが転写テープを介して当接可能な転写対象物を載置するための転写対象物受け台を具設した転写具において、前記転写対象物受け台の少なくとも転写対象物が載置する表面に、基材の濡れ張力より小さい値の濡れ張力となる離型処理を施したことを特徴とする転写具。
【発明の詳細な説明】
【技術分野】
【０００１】
本発明は、転写テープの基材に塗着した糊等の粘着剤、修正剤や着色剤等の転写物を紙等の転写対象物に転写するための転写具に関する。
【背景技術】
【０００２】
従来より、転写テープの基材に塗着した糊等の粘着剤、修正剤や着色剤等の転写物を紙等の転写対象物に転写するための、転写ヘッドを外方に突出させて備えたケース本体内に、転写テープを巻き付けた供給リ−ルと、転写テープを巻き取る巻取リ−ルとを回転可能に配設し、転写ヘッドにより転写テープを転写対象物に押し当てた状態で転写具または転写対象物をスライドさせることで、転写テープが順次繰出されて転写物を転写対象物へ転写する転写具は知られている。
【０００３】
こうした転写具においては、転写対象物に転写物を転写する際に転写対象物を置くテーブルや机等の台を利用するが、場所を選ぶことなくどこでも簡単に転写することを目的として、転写対象物受け台を具設して、転写ヘッドと前記転写対象物受け台との間に転写対象物を挟んだ状態で転写具または転写対象物をスライドさせることで、簡単正確に転写テープの転写物を転写対象物に転写できるという技術が、特開２００６−２０５５２５号公報や特開２００７−１３６７５３号公報により提案されている。前者の技術では下側ヘッド部３３が、後者の技術では転写対象物受け台２が転写対象物受け台として開示されている。
【０００４】
ところで、転写具においては、転写テープの幅は転写ヘッドの幅より狭くなっており、前記転写対象物受け台を具設した、例えば転写テープの基材に塗着した糊（粘着剤）を転写対象物に転写する「テープのり」と呼ばれているものにおいて図面を用いて説明すると、例えば封筒（転写対象物）５０の端部５１の折り返して接着することで封をする「頭」と呼ばれている部分に糊５２を付ける場合、図８に示すように、転写具（図示せず）に具設した転写対象物受け台５３上に封筒５０の端部５１を載置し、端部５１の縁辺５１ａを転写対象物受け台５３のガイド片５４に当接して、封筒５０を矢印方向にスライドさせて、糊５２を封筒５０の端部５１に転写テープ（図示せず）の基材より転写するが、封筒５０の端部５１の縁辺５１ａの近傍部分５１ａａには、糊が付かないという問題がある。
【０００５】
そのために、図９に示すように、封筒５０の端部５１の縁辺５１ａの近傍部分５１ａａにも糊５２を付けるには、封筒５０の端部５１を、封筒５０の端部５１の縁辺５１ａが転写ヘッド（図示せず）に配した基材で被覆されるように転写対象物受け台５３に載置してやる必要があるが、当然に、転写対象物受け台５３の転写対象物が当接する表面の、基材の幅：Ｐより封筒５０の端部５１に糊付けされた部分の幅：Ｌを減じた幅：Ｎの部分に糊５２が付着し、次に転写具を用いて糊を付けようとした際に、転写対象物受け台５３の表面の部分に付着した糊５２’が、転写対象物の糊を付ける側と反対側の裏面と転写対象物受け台５３の表面とが粘着し、転写対象物または転写具の移動を妨げてしまうという問題があった。
【先行技術文献】
【特許文献】
【０００６】
【特許文献１】特開２００６−２０５５２５号公報
【特許文献２】特開２００７−１３６７５３号公報
【発明の概要】
【発明が解決しようとする課題】
【０００７】
本発明はこうした事実に鑑みてなされたもので、基材に塗着した転写物を紙等の転写対象物に転写するための転写テープを転写ヘッドにより転写対象物に押し当てた状態で、転写具または転写対象物をスライドさせることで転写テープが順次繰出されて転写物を転写対象物へ転写する、転写対象物へ転写物を転写する際に転写ヘッドが転写テープを介して当接可能な転写対象物を載置するための転写対象物受け台を具設した転写具において、前記転写対象物受け台の転写対象物が載置する表面に、転写テープの転写物が基材から転写し難いようにすることを目的とする。
【課題を解決するための手段】
【０００８】
本発明は、
「基材に塗着した転写物を紙等の転写対象物に転写するための転写テープを転写ヘッドにより転写対象物に押し当てた状態で、転写具または転写対象物をスライドさせることで転写テープが順次繰出されて転写物を転写対象物へ転写する、転写対象物へ転写物を転写する際に転写ヘッドが転写テープを介して当接可能な転写対象物を載置するための転写対象物受け台を具設した転写具において、前記転写対象物受け台の少なくとも転写対象物が載置する表面に、基材の濡れ張力より小さい値の濡れ張力となる離型処理を施したことを特徴とする転写具。」
である。
【０００９】
本発明における転写対象物受け台を具設した転写具とは、転写テープを巻き付けた供給リールや転写物を転写した後のテープ状の基材を巻き取る巻取リールを収容した、一端部に転写ヘッドを外方に突出させたケース本体に、直に転写対象物受け台を付設してなるものや、前記供給リールや巻取リールを収容し一端部に転写ヘッドを設けてなるカートリッジを着脱自在に装着する固定体に転写対象物受け台を付設してなるものをいう。
【００１０】
転写対象物受け台を離型処理するには、シリコンコートＰＥＴフィルム 等を転写対象物受け台の表面に貼ったりまたはワックス等の離型剤を塗布することで離型層を形成すれば良い。
【発明の効果】
【００１１】
本発明は前記したような構造なので、転写対象物受け台の転写対象物が載置する表面に転写テープが直に接触しても、基材から転写物が前記転写対象物受け台の表面に転写し難くくなるので、転写対象物を転写対象物受け台の表面に載置しても転写対象物と転写対象物受け台の表面とが粘着することがなく、転写テープの基材に塗着した転写物を転写対象物に転写する際に、転写対象物受け台に載置した転写対象物または転写具のスライドを妨げようとすることがないので、スライドをスムーズに行なうことができるという利点がある。
【図面の簡単な説明】
【００１２】
【図１】本発明の実施例の転写具における、カートリッジの正面図である。
【図２】本発明の実施例の転写具における、カートリッジを着脱自在に保持するための固定体の正面図である。
【図３】図２における固定体の背面図である。
【図４】図２における固定体の右側面図である。
【図５】図２における固定体の左側面図である。
【図６】本発明の実施例で、カートリッジを固定体に装着してなる転写具の正面図である。
【図７】本発明の実施例の転写具の使用状態を示す図である。
【図８】従来の転写具における、転写対象物受け台に転写対象物を載置して、転写対象物に転写物を付着した状態を示す図である。
【図９】従来の転写具における、転写対象物受け台に転写対象物を載置して、転写対象物の縁部に転写物を転写した際の状態を示す図である。
【発明を実施するための最良の形態】
【００１３】
転写具における、転写対象物へ転写物を転写する際に転写ヘッドが当接可能であって転写対象物を載せるための転写対象物受け台の表面に、基材の濡れ張力より小さい値の濡れ張力となる離型処理を施す。
【実施例】
【００１４】
本発明の転写具の実施例を図面を用いて説明する。
本実施例の転写具１は、図１に示すようなカートリッジ２と、図２〜図５に示すようなカートリッジ２を着脱自在に保持する固定体３とで構成された、「テープのり」と呼ばれているものである。カートリッジ２は、図１に示すように、従来の「テープのり」と同様に、転写ヘッド４を外方に突出させて備えたケース本体５内に、テープ状の基材６に転写物（糊）を塗着した転写テープ７を巻き付けた供給リ−ル８と、転写テープ７を巻き取る巻取リ−ル９とを回転可能に配設した構造のものである。転写テープ７を転写ヘッド４を介して折り返し、転写ヘッド４により転写テープ７を転写対象物（図示せず）に押し当てた状態でカートリッジ２または転写対象物をスライドさせることで、転写テープ７が供給リ−ル８より順次繰出され、転写テープ７に塗着した糊を転写対象物へ転写する。転写し終わった転写テープ７の基材６ａは、巻取リール９により巻き取られる。
【００１５】
符号１０は転写ヘッドカバーで、転写テープ７における転写対象物への転写前の転写物の汚れによる転写対象物への付着が損なわれないようにするためのもので、ヒンジ１１により回転可能に設けてある。
【００１６】
図２〜図５に示すカートリッジ２を着脱自在に固定する固定体３は、前記カートリッジ２を嵌合して保持する、底部１２と前記カートリッジ２の上側壁部１３（図１において、上側の壁部）に当接する上片部１４と前記カートリッジ２の下側壁部１５（図１において、下側の壁部）に当接する下片部１６とで構成された保持体１７と、該保持体１７を固定する固定本体１８とで構成してある。
【００１７】
固定本体１８は、前記保持体１７の底部１２に当接する立片１９と該立片１９に略直角に折曲げて形成した転写対象物受け台２０とで構成されている。立片１９には、転写対象物受け台２０に対して垂直方向に延びた、貫通した第１の係止孔２１と第２の係止孔２２が設けてあり、第２の係止孔２２の転写対象物受け台２０側の下端２２ａ（図３において下側）には、第１の係止孔２１の下端２１ａを中心点とした円弧状の円弧孔２３が連接して設けてある。また、立片１９は、転写対象物受け台２０に転写対象物（図示せず）を載置した際の転写対象物の端部を当接して移動を案内するためのガイド片としての機能を有している。  
【００１８】
保持体１７の底部１２の前記第１の係止孔２１と第２の係止孔２２に対向した部分には、軸部２４を設けてあり、該軸部２４を前記第１の係止孔２１と第２の係止孔２２に各々遊嵌し、軸部２４にナット２５等を螺着して、保持体１７を立片１９に移動可能に付設するとともに、第１の係止孔２１に遊嵌した軸部２４をばね２６により第１の係止孔２１の上端２１ｂ側に引張り、前記軸部２４が第１の係止孔２１の上端２１ｂと第２の係止孔２２の上端２２ｂに位置するようにしてある。また、転写具１としての使用状態を良好なものとするために、保持体１７にカートリッジ２を装着した際に、カートリッジ２の転写ヘッド４が固定本体１８の転写対象物受け台２０に対向し、かつ転写対象物受け台２０に対して約５０〜５５度位傾いて装着するように、前記第１の係止孔２１と第２の係止孔２２の位置や保持体１７の底部１２に設ける軸部２４の位置を設定してある。
【００１９】
本実施例の転写具１は、図６に示すように前記カートリッジ２を固定体３の保持体１７に装着してなるもので、使用の際には、図７に示すように、転写ヘッドカバー１０を開き、転写テープ７に塗着した糊を転写したい紙等の転写対象物（図示せず）を転写対象物受け台２０に載置し、保持体１７の上片部１４を、矢印に示すように、転写対象物受け台２０側に押圧すれば良い。
【００２０】
本実施例の転写具１において転写テープ７の糊を塗着した基材６は、東レフイルム加工株式会社製の製品名：セラピールＳＸ（濡れ張力：２７mN/m)であるので、転写対象物受け台２０の転写対象物が載置する表面に、東レフイルム加工株式会社製のＰＥＴフィルムにシリコン樹脂などの剥離性付与剤をコーティングした製品名：セラピールＷＤ（濡れ張力：２２．６mN/m以下)のフィルムを貼着することで離型処理とした。
【００２１】
比較例として、表１に示す濡れ張力を有する転写テープ７の基材６に対して、転写対象物受け台２０の転写対象物が載置する表面に、表１に示す濡れ張力を有する東レフイルム加工株式会社製のＰＥＴフィルムにシリコン樹脂などの剥離性付与剤をコーティングした離型性フイルムを貼着し、前記実施例と比較例１〜４について、転写対象物受け台の表面に転写テープ７を接触して、基材６に塗着した糊が転写対象物受け台２０の表面に付着したかどうかを目視で確認した。その結果は、表１に示すとおりである。
【００２２】
【表１】
2011031401.tif 000003
【００２３】
転写対象物受け台２０の表面に転写テープ７が接触しても、基材６に塗着した糊が転写対象物受け台２０の表面に付着しないようにするには、転写対象物受け台の少なくとも転写対象物が載置する表面に、基材の濡れ張力より小さい値の濡れ張力となる離型処理を施すことが有効であることが判る。
【産業上の利用可能性】
【００２４】
本発明は、転写テープの基材に塗着した転写物が付着することで転写対象物に転写物を転写する際の転写具または転写対象物の移動を妨げたくない場合に適用でき、転写対象物受け台を具設していない転写具においては、転写具を使用するためのマット等にも適用できる。
【符号の説明】
【００２５】
１  転写具
２  カートリッジ
３  固定体
４  転写ヘッド
６  基材
７  転写テープ
２０  転写対象物受け台
【図１】
2011031401.tif 000004
【図２】
2011031401.tif 000005
【図３】
2011031401.tif 000006
【図４】
2011031401.tif 000007
【図５】
2011031401.tif 000008
【図６】
2011031401.tif 000009
【図７】
2011031401.tif 000010
【図８】
2011031401.tif 000011
【図９】
2011031401.tif 000012